(57)【要約】      （修正有）【課題】契約者が自分の意思で好きなときに広告メッセージ内容を変えることが可能で、しかも表示に不適なメッセージの事前校閲、非正当契約者からの情報排除等のセキュリティ性を備えた地域情報連続表示システム、ソフトウェア及び表示側システムを提供する。【解決手段】契約者が、予め割り当てられたパスワード及び表示したいメッセージ内容に係る情報を含む契約者発信情報をメーラー２０１で送信し、表示システムセンター１０は送信された契約者発信情報を受信し、該情報に含まれるパスワードと予めシステムセンター１０のサーバ１１０に格納されているカスタマファイルとを照合して当該契約者発信情報発信者の正当性を認証し、同時に当該情報より表示器の枠番号を割り出し、該情報に含まれるメッセージ内容の適否をチェックした上で、メッセージ内容を含み得るセンター発信情報を表示割付先に対応する総ての表示装置３００にＶＰＮ経由で送信する。【選択図】図２
2008052608.tif 000002
【特許請求の範囲】
【請求項１】
契約者が、予め割り当てられたパスワード及び表示したいメッセージ内容に係る情報を含む契約者発信情報をメーラーで送信し、
表示システムセンターは前記送信された契約者発信情報を受信し、該情報に含まれるパスワードと予めシステムセンターのサーバに格納されているカスタマ（顧客）ファイルとを照合して当該契約者発信情報発信者の正当性を認証し、同時に当該情報より表示器の枠番号を割り出し、該情報に含まれるメッセージ内容の適否をワード（不適切用語）ファイルとの照合によりチェックした上で、割り出された枠番号と表示割り当て先とを対応させて格納されているディスパッチ（配信先）ファイルを参照して、該チェックの結果適切と判断されるメッセージ内容を含み得るセンター発信情報を該表示割付先に対応する総ての表示装置にＶＰＮ経由で送信し、
メモリを備える表示装置は、前記表示システムセンターから送信されたセンター発信情報を受信する都度、該センター発信情報に含まれるメッセージ内容を該情報に含まれる枠番号に対応するメモリ位置に書き込みもしくはオーバーライトし、予め枠番号ごとの表示時間間隔が定義されたメモリ中の表示タイムスケジュールにしたがって該当する時間になると指定されたメッセージ内容を表示デバイスに表示する
ことを特徴とする地域情報連続表示システム。
【請求項２】
請求項１記載の地域情報連続表示システムに使用するための表示システムセンター用システム・ソフトウェアであって、
メッセージ表示エリアであるセルを登録・削除するためのセル登録部と、
メッセージ表示エリアを、契約者使用用、予備用、災害対策用を含む各別用途にバンクとして分別し各バンクごとに表示開始時間を設定したマトリックスを格納するバンク定義登録部と、
前記各バンクごとに各行ごとのメッセージ内容の複製を格納するメッセージ格納部と、
表示されるメッセージの校正の日時もしくはタイミングを指定する時計校正情報、Ｅメール発信者の認証のために照合すべき契約者登録ファイルを示す契約者照合ファイル（カスタマファイル）情報、正規契約者に与えられる枠ＩＤを指定されたメッセージをどこの表示枠に配信するかを指定するための契約者割付先を示す契約者割付ファイル（ディスパッチファイル）情報、及び受信したメッセージを表示枠に対して配信する前に使用に適しない単語をチェックするためのワードフィルタファイルを示すワードフィルタファイル情報を設定して格納する設定管理テーブル格納部と、
配信対象のセルごとに、該セル内の表示端末に係るＩＰアドレスと、かかるＩＰアドレスに対する配信もしくは停止の制御状態の設定と、メッセージデータを表示するバンクモードを切り換え設定するためのモード切替とを規定するための配信先データ規定部と、
受信した契約者発信情報に含まれるパスワードと、設定管理テーブル格納部から取得した契約者登録ファイルとを照合して当該契約者発信情報発信者の正当性を認証する認証部と、
前記認証部の認証が適切と判断される場合に、前記設定管理テーブル格納部からの契約者割付ファイル、前記配信先データ規定部からの情報をもとに、受信したメッセージ内容を該受信の都度、所与の表示割付先に対応する表示装置に係る総てのＩＰアドレスに対して送信する送信部と
を具備することを特徴とするソフトウェア。
【請求項３】
請求項１記載の地域情報連続表示システムに使用するための表示側システムであって、
前記表示システムセンターとの間でメッセージ及び制御情報をやり取りするための送入出力部と、
前記入出力部で受信したメッセージ及び／もしくは制御情報を対応するメモリアドレスに書き込み保存するメモリと、
前記入出力部の制御及び前記メモリの制御を行うとともに、該メモリに格納されている情報のうち、タイムスケジュールに規定される時間に対応する所定位置のメッセージ情報を対応する時間になると読み出し、表示デバイスに対して出力表示させる制御部と、
前記制御部からの指示信号に従い前記メモリから読み出されたメッセージ情報を表示するための表示デバイスと
を具備することを特徴とする表示側システム。
【発明の詳細な説明】
【技術分野】
【０００１】
本発明は、たとえば地域情報連続表示システム、ソフトウェア及び表示システムに係り、特に、ネットワークを経由して契約者からの電子メールによる広告等のメッセージを、ＶＰＮ技術によりセキュリティ性を保持しつつ、簡易かつ迅速に表示するためのするための地域情報連続表示システム、ソフトウェア及び表示システムに関する。
【背景技術】
【０００２】
従来、広告主が自己の広告を所望のメディアを通じて掲出する場合、どのようなメディアにおいても広告代理店等が存在し、コスト、タイムラグの双方で満足できるものが少な且つた。そして、通常の駅貼り方式の広告掲出も同様で、例えば鉄道沿線の駅周辺の商店レベルで大企業に互して広告展開を実施するのは不可能に近く、より低コストで速報性に優れた身近な広告媒体を望む声が多かった。
【０００３】
一般的に、商店等は客寄せのために目玉商品などを設定するが、現在は、客が店まで出向き目玉商品を目にする状態である。このため店から離れたところで目玉商品を告知し、それを目当てに客が来るように店まで誘導することが必要であるが、特に入荷から販売までの時間が短いような業種では、今までは、安価で適切に使用できる広告メディアは存在しなかった。
【特許文献１】特開２００１―０２２８４０号公報
【特許文献２】特開２００３―１６７５３９号公報
【特許文献３】特開平１１―２０３５６５号公報
【特許文献４】特開２００４―５１１８７８号公報
【発明の開示】
【発明が解決しようとする課題】
【０００４】
そこでたとえば特許文献１のようなものが提案されてきた。
【０００５】
しかしながら、特許文献１のようなシステムは、広告情報をインターネット網に開設したホームページを介して専用サーバに登録し、該専用サーバに登録した広告情報を、公序良俗に違反しないような検証を行った後、通信衛星により所望の情報掲出箇所に伝送し、情報掲出箇所に備えたプラズマディスプレイにより広告情報を表示するようにしたものであり、予め定められたホームページを介さないと本システムを利用できないほか、広告情報の掲載タイミング・場所等について細かい設定ができないものであった。
改めていうまでもなく、特に地域に密着したビジネスの場合、地元の消費者・需要者に対してタイムリーな情報を適切な場所とタイミングで提供することが極めて重要である。マスマーケティング手法では手の届かないマイクロマーケティング的な手法、すなわちどこの店ではこの時間帯に何が安売りされるなどの、ターゲット（その地域の住民、特に主婦など）を絞った情報を当該ターゲットに流すための公知手段として、特許文献１記載の技術をはじめとするこれまでの技術では、大時代的すぎて、機動性に欠けたり、情報のめまぐるしい改変、表示デバイス設置場所ごとの細かな情報の異動等に対して対応性は良いものではなく、価格もかなり高くなっていた。
【０００６】
本発明は上記の従来技術の問題を解決するためになされたもので、契約者が自分の意思で好きなときに広告メッセージ内容、掲載時間を変えることが可能で、しかも表示に不適切なメッセージの事前校閲、非正当契約者からの情報排除等のセキュリティ性を備えた地域情報連続表示システム、ソフトウェア及び表示システムを提供することを目的とする。これにより、地域に密着したビジネスに対して、低価格でありながら利便性の高い広告掲載機会を提供することも目的とする。
【０００７】
本発明の別の目的は、マイクロマーケティング的な手法を、廉価で利用者に便宜な広告掲載システムとして実現することにある。
【課題を解決するための手段】
【０００８】
かかる課題を解決するため、本発明は、契約者が、予め割り当てられたパスワード及び表示したいメッセージ内容に係る情報を含む契約者発信情報をメーラーで送信し、表示システムセンターは前記送信された契約者発信情報を受信し、該情報に含まれるパスワードと予めシステムセンターのサーバに格納されているカスタマ（顧客）ファイルとを照合して当該契約者発信情報発信者の正当性を認証し、同時に当該情報より表示器の枠番号を割り出し、該情報に含まれるメッセージ内容の適否をワード（不適切用語）ファイルとの照合によりチェックした上で、割り出された枠番号と表示割り当て先とを対応させて格納されているディスパッチ（配信先）ファイルを参照して、該チェックの結果適切と判断されるメッセージ内容を含み得るセンター発信情報を該表示割付先に対応する総ての表示装置にＶＰＮ経由で送信し、メモリを備える表示装置は、前記表示システムセンターから送信されたセンター発信情報を受信する都度、該センター発信情報に含まれるメッセージ内容を該情報に含まれる枠番号に対応するメモリ位置に書き込みもしくはオーバーライトし、予め枠番号ごとの表示時間間隔が定義されたメモリ中の表示タイムスケジュールにしたがって該当する時間になると指定されたメッセージ内容を表示デバイスに表示することを特徴とする。
【０００９】
かかる特徴を持つ本発明によれば、契約者は、たとえば、自分のＰＣのメーラー或いは携帯電話から、予め割り当てられたパスワードを「件名欄」に記入し、表示したいメッセージ内容を色指定記号とともに「本文」としてセンターに送信する。一旦送信されたメッセージ内容はセンターにて適切に処理・保管され、予め契約時に別途規定されたメッセージ表示場所・時間で表示される一方、表示メッセージを替えたい場合にはその都度メッセージを上記方式にてセンターに送信すればセンターではこれを新メッセージとして旧メッセージにオーバーライトする。つまり、契約者は表示契約を結んだ後は、割り当てられたパスワードを用いてセンター宛情報をメーラーでセンターに対して送信する。これにより、契約者は、初期メッセージ定義時・メッセージ差し替え時のいずれであっても、あたかも自分で表示装置を操作する感覚で、きわめて簡易にメッセージ内容を調整することができるから、簡単に地元密着のミクロ情報発信、マイクロマーケティング的発想に基づく宣伝広告に適するメッセージ広告がスピーディーに実現できる。すなわち、自分の意思で好きなときに広告メッセージ内容を変えることが可能であり、利便性が格段に向上するのみならず、マイクロマーケティング的な対応、すなわちどこの店ではこの時間帯に何が安売りされるなどの、ターゲット（その地域の住民、特に主婦など）を絞ったミクロな情報を然るべきタイミング・場所で消費者・需要者に届けることが可能となる。
一方、センターでは、送信された契約者発信情報を受信し、これに含まれるパスワードと予めシステムセンターのサーバに蓄えてあるコードとを比較して当該契約者発信情報発信者の正当性を認証し、該情報に含まれるメッセージ内容の適否をチェックした上でメッセージ内容を指定場所の表示端末装置に送信するので、非正当契約者からのメッセージを排除でき、またメッセージ内容のうちの不適切な表現についても事前に校閲することができる。またこのとき、パスワードとして各契約者に対して割り当てたものと当該契約者（情報発信者）のメールアドレスとを組み合わせた情報を一定数の表示装置を備えた特定表示場所にかかる表示先（セル）情報と組み合わせて定義したディスパッチファイルを有し、メッセージ受信の都度このファイルから自動的にディスパッチ先を割り出して対応表示先に送信するまでを、コンピュータソフトウェアにより自動処理するので、これまでのように対人依存することなく、安価、迅速に行え、広告容量・契約者数が増大した場合でも何ら支障なく対応可能であり、しかも人為的な誤りの発生を抑止することができる。
さらにメールを送信してきた顧客には送られたメッセージがどのように処理されたかを自動返信メールにより毎回知らせることにより安心して使わせることができ、又、システム上に不具合などが発生した場合は管理者宛に異状通報メールを自動送信する機能も有していることから、これらにより休日、夜間でも無人による運用が可能となり、低価格化に貢献できる。
また、表示装置（端末）側では、表示システムセンターから送信されたセンター発信情報を受信し、受信したメッセージを指定される枠番号に対応するメモリアドレスに格納（オーバーライト）する。そして、予め定められたタイムテーブルに沿って規定の時間ごとにメモリの対応位置から情報を読み出し、該情報に含まれるメッセージ内容を表示デバイスに表示することのみを行うので、極めて簡易なシステムとして実現できる。これにより、表示装置自体はデバイス、メモリを含め極めて簡易・安価・省スペースのものとして実現でき、駅前、路上、店の前等スペースの限られた場所にでも確実・安全に設置できるし、表示装置自体は極めて簡易な構造となるため、より多くの場所に設置することも容易に実現できる。
さらに表示装置には非常用のメモリーバンクを二つ具備し、地震警戒宣言発令時などの表示文を予めメモリしておき、非常時には自治体との連携によりセンターよりコントロール信号を送ることにより、一斉に、或いは任意の表示装置を非常モードに切替えることが可能で、このことにより、地域に密着したシステムが構築できる。
【００１０】
さらに本発明は、請求項１記載の地域情報連続表示システムに使用するための表示システムセンター用システム・ソフトウェアであって、メッセージ表示エリアであるセルを登録・削除するためのセル登録部と、メッセージ表示エリアを、契約者使用用、予備用、災害対策用を含む各別用途にバンクとして分別し各バンクごとに表示開始時間を設定したマトリックスを格納するバンク定義登録部と、前記各バンクごとに各行ごとのメッセージ内容の複製を格納するメッセージ格納部と、表示されるメッセージの校正の日時もしくはタイミングを指定する時計校正情報、Ｅメール発信者の認証のために照合すべき契約者登録ファイルを示す契約者照合ファイル（カスタマファイル）情報、正規契約者に与えられる枠ＩＤを指定されたメッセージをどこの表示枠に配信するかを指定するための契約者割付先を示す契約者割付ファイル（ディスパッチファイル）情報、及び受信したメッセージを表示枠に対して配信する前に使用に適しない単語をチェックするためのワードフィルタファイルを示すワードフィルタファイル情報を設定して格納する設定管理テーブル格納部と、配信対象のセルごとに、該セル内の表示端末に係るＩＰアドレスと、かかるＩＰアドレスに対する配信もしくは停止の制御状態の設定と、メッセージデータを表示するバンクモードを切り換え設定するためのモード切替とを規定するための配信先データ規定部と、受信した契約者発信情報に含まれるパスワードと、設定管理テーブル格納部から取得した契約者登録ファイルとを照合して当該契約者発信情報発信者の正当性を認証する認証部と、前記認証部の認証が適切と判断される場合に、前記設定管理テーブル格納部からの契約者割付ファイル、前記配信先データ規定部からの情報をもとに、受信したメッセージ内容を該受信の都度、所与の表示割付先に対応する表示装置に係る総てのＩＰアドレスに対して送信する送信部とを具備することを特徴とする
【００１１】
かかる構成を有する本発明によれば、表示システムセンターでは、セル登録部を有するのでメッセージ表示エリアであるセルを登録し或いはこれからセルを削除できる。バンク定義格納部を有するので、メッセージ表示エリアを、契約者使用用、予備用、災害対策用を含む各別用途にバンクとして分別し各バンクごとに表示開始時間を設定したマトリックスを格納でき、各契約者ごとの細かい条件設定に正確に対応できる。メッセージ格納部を有するので、各バンクごとに各行ごとのメッセージ内容を格納し、これにより、バンクによって異なるメッセージ内容でも、バンクごとに正確に設定・記憶することが可能となる。さらに、設定管理テーブル格納部で、時計校正情報により表示されるメッセージの校正の日時もしくはタイミングを指定するのでメッセージ内容の校正についても正確に制御可能であり、契約者照合ファイル情報によりＥメール発信者の認証のために照合すべき契約者登録ファイルを特定できるので（後述の）認証部による正当性認証動作がスムーズかつ正確に行うことが可能であり、契約者割付ファイルにより枠ＩＤを指定されたメッセージを表示すべき配信先を正確に特定できるのみならず細かい変動に対して細かいレベルで対応することが可能であり、ワードフィルタファイル情報により受信したメッセージの使用適合性を配信前にチェックすることが可能である。また、配信先データ規定部を有するので、配信対象のセルごとに、該セル内の表示端末ごとにＩＰアドレスを設定し、かかるＩＰアドレスごとに配信もしくは停止の制御状態の設定が定義できるので、たとえ同じセル内でも表示装置ごとに表示の有無を規定でき、さらに、モード切替によりバンクモードを切り換えることでメッセージデータを表示するにあたって、たとえば非常時の市町村からの情報提供などを優先的に表示することをシステム的に、しかも容易に実現できる。その上で、認証部が、契約者発信情報に含まれるパスワードと、設定管理テーブル格納部から取得した契約者登録ファイルとを照合して当該契約者発信情報発信者の正当性を認証し、この正当性が認証された場合に、送信部が、設定管理テーブル格納部からの契約者割付ファイル、配信先データ規定部からの情報をもとに、受信したメッセージ内容を、メッセージ受信の都度、予め定義された場所の表示端末装置に係る総てのＩＰアドレスに対して送信するので、正当権限なき者による本システムの利用を防止し、表示すべきメッセージを表示すべき端末装置側に誤りなく送信することが可能となる。
【００１２】
また本発明は、請求項１記載の地域情報連続表示システムに使用するための表示側システムであって、前記表示システムセンターとの間でメッセージ及び制御情報をやり取りするための送入出力部と、前記入出力部で受信したメッセージ及び／もしくは制御情報を対応するメモリアドレスに書き込み保存するメモリと、前記入出力部の制御及び前記メモリの制御を行うとともに、該メモリに格納されている情報のうち、タイムスケジュールに規定される時間に対応する所定位置のメッセージ情報を対応する時間になると読み出し、表示デバイスに対して出力表示させる制御部と、前記制御部からの指示信号に従い前記メモリから読み出されたメッセージ情報を表示するための表示デバイスとを具備することを特徴とする
【００１３】
かかる構成を有する本発明によれば、表示システム側では、入出力部が表示システムセンターからの制御信号・メッセージ情報を受け取り、これに基づいて制御部が、メモリ中の該制御信号に対応するアドレスに受け取った（すでにセンターにてワードチェック及び正当配信者チェック済の）メッセージ情報を書き込む（オーバーライトする）。さらに制御部は、別途定義される表示タイムスケジュールに基づいて、規定される時間に対応する所定位置のメッセージ情報を対応する時間になると読み出し、表示デバイスにメッセージを表示させるので、大掛かりな装置の必要なく、面的・量的に展開し多拠点において本表示を実現することが容易となる。
【発明の効果】
【００１４】
本発明によれば、契約者は、自分の意思で好きなときに広告メッセージ内容、掲載時間を変えることが可能であり、利便性が格段に向上するのみならず、マイクロマーケティング的な対応、すなわちどこの店ではこの時間帯に何が安売りされるなどの、ターゲット（その地域の住民、特に主婦など）を絞ったミクロな情報を然るべきタイミング・場所で消費者・需要者に届けることが可能となる。
【００１５】
また、センターでは、非正当契約者からのメッセージを排除でき、またメッセージ内容のうちの不適切な表現についても事前に校閲することができる。しかもこの全体をコンピュータソフトウェアにより自動処理するので、これまでのように対人依存することなく、安価、迅速に行え、広告容量が増大した場合でも対応可能であり、しかも人為的な誤りの発生を抑止することができ、安価にてサービスを提供できる。
【００１６】
また、表示装置では、広告の場所別表示システムを極めて簡易なシステムとして実現できるから、駅前、路上、店の前等スペースの限られた場所にでも確実・安全に設置できるし、表示装置自体は極めて簡易な構造となるため安価となり、より多くの場所に設置することも容易に実現できる。
【００１７】
看板等の広告媒体は店の前などに設置する場合が多く、特に情報内容の変動するものは店の近くに設置する以外は考えられなかったものであるが、店の前までくればその店の存在はおのずとわかるわけであり、遠くから客を呼び込むためには、通常、一般的なたて看板に店名、住所、電話番号等を表示するという方法しか実際的ではなかった。しかしながら本発明によれば、安価で手軽な広告メディアが実現できるから、店から物理的に離れた場所にも店名等だけでなく新鮮な情報を簡単に発信することができる。
【００１８】
時間を切り売りするような商売、すなわちホテル、賃貸住宅、駐車場、タクシー、運転代行業、旅行代理店等のように、時間が経過すると不良品となってしまい、在庫が持てない業種は、逐一情報を発信して不良品化してしまう前に売り切ってゆくことが極めて重要であることに鑑みると、本発明による、手軽に、常にリアルタイムで情報を発信できる機構は計り知れないメリットとなる。
【発明を実施するための最良の形態】
【００１９】
以下、図面を参照して本発明の最良の実施形態を説明する。
【００２０】
図１は、本発明の一実施形態に係る地域情報連続表示システム全体の概念的な構成を示すブロック図である。なお、以下では、本願発明の目的の達成のために説明に必要な範囲を模式的に示し、本願発明の該当部分の説明に必要な範囲を主に説明することとし、説明を省略する箇所については公知技術によるものとする。
【００２１】
同図に示すように、本発明の一実施形態に係る地域情報連続表示システム１は、本願特有の（後述の）構成を備える本部システム（以下、「表示センターシステム」ともいう。）１０と、たとえばＰＣもしくは携帯電話等の一般的な通信機能を備える契約者（以下、「クライアント」ともいう。）側装置２０と、本願特有の（後述の）構成を備える表示システム３０とがインターネット４０を介してＥメールやＶＰＮによりリンクされて構成される。
【００２２】
図２は、本発明の一実施形態に係る地域情報連続表示システム１の各構成要素についての詳細な分割機能を定義した機能ブロック図である。
【００２３】
同図に示すように、本部システム１０は、本願特有の（後述の）構成・機能を持つソフトウェアを備えた地域情報連続表示システムセンターシステム１００と、地域情報連続表示システムセンターシステム１００に接続され、地域情報連続表示システムセンターシステム１００の制御によりデータの格納、登録、削除等の各種機能を受け持つサーバ１１０とを備えて構成される。
クライアントＰＣ２００は、通常のメール機能を備えたソフトウェア２０１と制御部２０３とを少なくとも備える一般的なＰＣである。クライアント携帯電話２１０は、電子メールの送受信機能を有するものであれば種類は問わない。
表示システム３０は、入出力部３０１と、本願特有の機能構成を備える制御部３０３と、表示すべきメッセージを含む情報を格納すべきメモリ３０５とを備えた表示装置３００と、制御部３０３からの制御信号に基づいて広告メッセージ等の表示を行うための表示デバイス３１０とを少なくとも備えて構成される。ここで、メモリ３０５は表示装置３００に内臓する必要は必ずしもなく、これに外付けされるものであってもよい。メモリ３０５は、少なくとも２メガバイト以上（２０４８文字＊２＊８バンク＊タテ６４）の容量を持つものであればよく、極めて簡易なものでことたりる。表示デバイス３１０は、２色ＬＥＤ（発光ダイオード）を用いた表示デバイスであってよい。
図３は、本部システム１０の更に詳細な機能構成を示した機能ブロック図である。同図に示すように、地域情報連続表示システムセンターシステム１００は、メッセージ情報・表示制御情報（表示間隔、表示時間等に係る情報）をクライアントＰＣ２００や表示装置３０との間でインターネット４０を介してやり取りする機能を有する送受信部１０１０と、全体の制御及びサーバ１１０の制御を行う機能を有する制御部１０２０と、送受信部１０１０により受信したメッセージ情報（及びメッセージ表示制御情報）の発信者について正当権限を有する者であるか否かについての判定（認証）を行う機能を有する認証部１０３０とを少なくとも備えて構成される。また、サーバ１１０は、メッセージ表示エリアであるセルを登録・削除するための（セル登録に係る情報の格納部を含む）セル登録部１１１０と、メッセージ表示エリアを、契約者使用用、予備用、災害対策用を含む各別用途にバンクとして分別し各バンクごとに表示開始時間を設定したマトリックスを格納するバンク定義格納部１１２０と、各バンクごとに各行ごとのメッセージ内容を格納するメッセージ格納部１１３０と、表示されるメッセージの校正の日時もしくはタイミングを指定する時計校正情報、Ｅメール発信者の認証のために照合すべき契約者登録ファイルを示す契約者照合ファイル情報、正規契約者に与えられる枠ＩＤを指定されたメッセージをどこの表示枠に配信するかを指定するための契約者割付ファイルを示す契約者割付ファイル情報、及び受信したメッセージを表示枠に対して配信する前に使用に適しない単語をチェックするためのワードフィルタファイルを示すワードフィルタファイル情報を契約案件ごとに設定して格納する設定管理テーブル格納部１１４０とを少なくとも備えて構成される。
【００２４】
なおここで、セル登録部１１０、バンク定義格納部１１２０、メッセージ格納部１１３０、及び設定管理テーブル格納部１１４０はサーバ１１０に包含される構成を例にとり説明したが、これらは必ずしもサーバ１１０内にある必要はなく、たとえば地域情報連続表示システムセンターシステム１００内にこれらの全部もしくは一部を備えるような構成にしてもよい。
次に、上記のように構成される本地域情報連続表示システム１の動作について説明する。図４は、本地域情報連続表示システム１の動作順序にしたがって時系列的に各構成装置間のやり取り及び各構成装置内での動作を併せて図示したタイミング・フローチャートである。
同図に示すように、まず、広告掲載を希望する契約者は、自（社）ＰＣ２００もしくは携帯電話２１０を用いて、メーラーを起動し（ステップＫ１０）、これによって広告掲載内容のメッセージ情報及び自社に契約によって予め割り当てられていたパスワード・ＩＤ等の情報を含めた電子メールメッセージを作成し、本部システム１０に対してインターネット４０を介してＥメールにより送信する（ステップＫ１１）。
本部（地域情報連続表示システムセンター）１０では、送受信部１０１０がこの電子メールを受信したか否かを判断し（ステップＣ１１）、もし受信にエラーがあれば制御部１０２０が送受信部１０１０を介して異常メッセージ送信処理を行い（ステップＣ１２）、契約者側ではこれを受信し（ステップＫ１２）、送信内容に誤り等がなかったかなど確認する（図示しない）。一方、本部（地域情報連続表示システムセンター）１０では、電子メールの受信に問題がなかった場合には、認証部１０３０が、契約者からの電子メールの内容をもとに予め設定管理テーブル格納部１１４０に格納されている契約者照合ファイル情報と照合することで正当性についての認証を行う（ステップＣ１３）。具体的には、たとえば、各契約者に割り当てたパスワードと契約者（メッセージ発信者）のメールアドレスとを結び合わせた情報を認証用の情報として設定管理テーブル格納部１１４０に登録しておき、メール受信を受けた場合に、該メール発信者アドレスと、該メールの「件名」に記された情報（パスワード）とを結合させ、この結合情報を先の格納済認証用情報と照合する。
もしこの照合処理においてエラーが発生した場合には、本部（地域情報連続表示システムセンター）１０では認証部１０３０が、不正のログであると認定し、不正ログ処理（ステップＣ１５）ルーチンに入り、制御部１０２０が送受信部１０１０を介して不正ログ処理メッセージを契約者側にインターネット４０を介して送信し（ステップＣ１５）、契約者側では制御部１０２０がこのメッセージを受信する（ステップＫ１３）。一方、正当性が確認できた場合には、制御部１０２０がデータ解析・配信準備を行う（ステップＣ１６）。
次に、制御部１０２０が、設定管理テーブル格納部１１４０に格納されているワードフィルタファイルをもとに、受信したメッセージが使用に適しない単語かどうかを確認する（ステップＣ１７）。ここで使用するのに適切でない表現が含まれていた場合、すなわち受信したメッセージ中にワードフィルタファイルに登録されている単語が含まれていた場合には、制御部１０２０が送受信部１０１０を介して契約者に対してワード訂正願のメールを返信する処理を行う（ステップＣ１８）。契約者側ではこのメールを受信し（ステップＫ１４）、適切な是正処理を行う（図示しない）。一方、受信したメッセージに不都合がない場合には、制御部１０２０は正常受付・ログ処理を行う（ステップＣ１９）。
制御部１０２０では、バンクごとに、バンク定義格納部１１２０で規定されるバンクに定義される全ディスパッチ先の表示装置に係る総てのＩＰアドレスに対して、送受信部１０１０を介して、メッセージのデータ配信処理（メッセージの他、表示制御に係る情報の配信も含む）を行う（ステップＣ２１）。
表示装置３０側では、入出力部３０１がセンターからのこの配信データをインターネット４０を介してＶＰＮ経由で受信する（ステップＤ１１）。受信が終了すると（ステップＤ１２）、正常受信処理が完了したかのチェックを行う（ステップＤ１３）。もし正常完了がなされていないのであれば、制御部３０３は、リライトがオーバーになるまで待って（ステップＤ１５）から、センター１０の管理者に対して異常通知を送信する（ステップＤ１６）。一方、正常受信処理が完了していた場合には、制御部３０３は、正常転送メッセージ返信処理を入出力部３０１を介して行い（ステップＤ１４。センター１０に対しての正常転送メッセージ返信を含む）、ステップＣ１７に進む。
一方、センター１０側では、表示装置３０からの返信を受信するがこの受信した返信が正常メッセージかどうかを確認する（ステップＣ２２）。もしかかる返信が異常メッセージであった場合には制御部１０２０は送受信部１０１０を介して不具合発生メール送信処理を行ったのちに異常処理を行う（ステップＣ２４）。この不具合発生メールはセンター１０の送受信部１０１０から契約者側に発信され、契約者側ではこれを受信する（ステップＫ１５）。また、センター１０においてステップＣ２２で正常メッセージを受信した場合には、制御部１０２０は送受信部１０１０を介して、契約者側への配信完了に係るメール返信処理を行う（ステップＣ２５）。続いて制御部１０２０は、正常配信・ログ処理を行い（ステップＣ２６）、一連の処理を終了する（ステップＣ２７）。
一方、表示装置３０では、正常転送メッセージをセンター１０に対して返信処理した（ステップＤ１４）のあと、制御部３０３が、メモリ３０５に対し、センター発信情報に含まれる枠番号（セル、バンクの指定及び時間のマトリックス位置の特定番号）に係るメモリアドレスに、メッセージ情報（この情報は、すでに、センターにてワードチェック済である）を書き込みもしくはオーバーライト処理を行う（ステップＤ１７）。さらに制御部３０３は、上記枠番号について定義される所定の時間になるまで待ち（ステップＤ１８）、かかる指定時間になったら、当該対応メモリアドレスの情報を読み出し、表示デバイス３１０に対してメッセージデータの表示処理を行う（ステップＤ１９）。
【００２５】
このように、地域情報連続表示システムによれば、契約者は、たとえば、自分のＰＣ２００のメーラー或いは携帯電話２１０から、予め割り当てられたパスワードであるセル番号を「件名」に記入し、表示したいメッセージ内容を色指定記号とともに「本文」としてセンター１０に送信し、該メッセージを表示したい場所・時間については適宜センター１０に対して送信する。これにより、契約者は、自分の意思で好きなときに広告メッセージ内容を変えることが可能であり、利便性が格段に向上するのみならず、マイクロマーケティング的な対応、すなわちどこの店ではこの時間帯に何が安売りされるなどの、ターゲット（その地域の住民、特に主婦など）を絞ったミクロな情報を然るべきタイミング・場所で消費者・需要者に届けることが可能となる。
また、センター１０では、送信された契約者発信情報を受信し、これに含まれるパスワードと予めシステムセンターのサーバ１１０のデータベースに蓄えてあるコードとを比較して当該契約者発信情報発信者の正当性を認証し、該情報に含まれるメッセージ内容の適否をチェックした上でメッセージ内容を指定場所の表示端末装置に送信するので、非正当契約者からのメッセージを排除でき、またメッセージ内容のうちの不適切な表現についても事前に校閲することができる。またこのとき、パスワードとして各契約者に対して割り当てたものと当該契約者（情報発信者）のメールアドレスとを組み合わせた情報を一定数の表示装置を備えた特定表示場所にかかる表示先（セル）情報と組み合わせて定義したディスパッチファイルを有し、メッセージ受信の都度このファイルから自動的にディスパッチ先を割り出して対応表示先に送信するまでを、コンピュータソフトウェアにより自動処理するので、これまでのように対人依存することなく、安価、迅速に行え、広告容量・契約者数が増大した場合でも何ら支障なく対応可能であり、しかも人為的な誤りの発生を抑止することができる。
さらに、表示装置（端末）３０側では、表示システムセンター１０から送信されたセンター発信情報を受信し、受信したメッセージを指定される枠番号に対応するメモリアドレスに格納（オーバーライト）する。そして、予め定められたタイムテーブルに沿って規定の時間ごとにメモリの対応位置から情報を読み出し、該情報に含まれるメッセージ内容を表示デバイス３１０に表示することのみを行うので、極めて簡易なシステムとして実現できる。これにより、表示装置自体はデバイス、メモリを含め極めて簡易・安価・省スペースのものとして実現でき、駅前、路上、店の前等スペースの限られた場所にでも確実・安全に設置できるし、表示装置自体は極めて簡易な構造となるため、より多くの場所に設置することも容易に実現できる。
【実施例】
【００２６】
次に、本願の実施例を図を用いて説明する。ただし、上記説明を行った箇所は当該説明をもって替え、同じ説明を省く。
【００２７】
ここでは、まず、VPN による仮想LAN 環境下にて行う遠隔情報配信システム（名称：AisiSともいう。）において、中枢となるソフト、ハードウェアについて説明する。
【００２８】
アプリケーションのウィンドウは実際に製作されたものを引用して説明する。
【００２９】
図５は、本ソフトウェアによって実現されるトップメニュの例を示す図である。図中の各ボタン、ウィンドウは下記の説明による。
セル：              これから作業したいセル名を選択する。
セル登録設定：      図６の”セル登録“画面に切替える。
システム設定：      図７の”システム設定“画面に切替える。
顧客情報設定：      図９の”顧客情報設定“画面に切替える。
表示内容修正：      図１２の“表示内容修正”画面に切替える。
ＢＡＮＫ時間設定：  図１３の“ＢＡＮＫ時間設定”画面に切替える。
ＬＥＤ端末設定：   
図１４の”ＬＥＤ端末設定“画面に切替える。
表示画面一覧：
図１６の”表示画面一覧“画面に切替える。
配信エラー処理：    図１７の“配信エラー処理”画面に切替える。
終了：              本プログラムを終了する。
上部表示黒窓：      稼動端末の状況を表示する。
下部表示白窓：      処理内容ログを表示する。
【００３０】
本システムは１システムで最大１６セル、１００台のＬＥＤ表示端末を一括して制御できるものである。
なお、トップ画面の上部黒窓は本システムに登録された全ＬＥＤ表示端末の稼動状態を表示し、すべてが稼働中のときは緑文字で“全稼働中”、１台でも停止しているときは黄文字で“一部停止中”、すべて停止中のときは赤文字で”全停止中“と表示する。
【００３１】
図６は、セル登録に係る処理に応じて管理側ＰＣのモニタに表示される画面を示す図である。同図は、新規にセル番号、セル名を登録、削除する画面で、最大１６セルまでとする。”追加作成“ボタンで枠を追加してセル番号、セル名を入力後に“登録終了”ボタンで登録を完了する。登録するセル番号、セル名に問題がなければ終了し、同じセル番号、セル名を登録しようとした場合、“競合あり”のメッセージを表示する（図示）。削除は該当セルを選択し、“選択削除“ボタンでそのセル番号、セル名と全ての情報を削除する。
【００３２】
図７はシステム設定画面を表した図であり、システムに受信用メールアドレス情報、受信間隔を設定する受信メール設定項目があり、“自動返信メール“ボタンで図８に示すように自動返信メールの文章を”正常受信“から”障害復旧“までの５種類のコメントを編集でき、”保存“、”終了“で完了する。
“不適切用語ファイル“ボタンでＣＳＶ形式で作成された不適切用語ファイル（ｗｏｒｄｆｉｌｔｅｒファイル）を選択し、実行するとこのファイルがワードフィルタとして適用され、メッセージ内容と照合し、不適切な字句がヒットした場合はルールに従った処理を行う。
“通報メール設定”では配信異常等システム上に異常が発生した場合に管理者に対して通報メールを自動送信するためのアドレスを３箇所まで設定でき、異常が発生すると同時にここに登録されたアドレス宛に通報メールを自動送信する。
【００３３】
図９は顧客情報設定を表した図であり、“顧客参照ファイル”では“参照”ボタンで図１０に示すようなＣＳＶ形式で作成されたｃｕｓｔｏｍｅｒｓファイルを参照するためにここでファイル名を指定する。左側の”毎月  日”と“時間”を指定する窓は、ここに指定した時間になると“更新ファイル”窓に指定したファイルを実行ファイルに自動的に読み込み、“手動更新”ボタンですぐに指定されたファイル内容を実行ファイルとして読み込むことも可能である。
これは顧客との契約が月単位となり、顧客参照、表示枠参照の両ファイルを月が替わったときに瞬時に入れ替える必要があり、このシステムにより月末までに来月のデータを収納したファイルをここに指定しておくだけで深夜でも無人で更新、切換えが可能となる。
図１１に示される“表示枠更新ファイル”も上記とまったく同じ機能を持つ。
“ＬＥＤ端末稼働時間設定”時間を制限した稼動と２４時間連続稼動が○をチェックすることで選択でき、時間設定窓に開始、終了時間を設定するが双方の大小関係は無視され、“時間更新”ボタンでここの設定内容をセル内の全ＬＥＤ表示端末を一斉更新する。
【００３４】
図１２は表示内容修正画面を表した図であり、ここでは選択したメッセージを編集、削除等の作業が行え、システムの保守、管理に使用し、“更新ボタン”ＬＥＤ表示端末データを更新し、“終了”ボタンでトップメニュー画面に戻る。
【００３５】
図１３は、ＢＡＮＫ時間設定画面を表した図であり、同図のように０から５までの６ＢＡＮＫに対し、開始時間を指定でき、左側のボックスにチェックを入れることにより有効となる。ここでは時間の大小関係は無視できず、間違えると同図下のような警告画面が出る。“設定”ボタンでセル内の全ＬＥＤ表示端末に対してデータを一斉更新し、“保存”ボタンで設定内容をメモリし“終了”ボタンでトップメニューに戻る。“非常用ＢＡＮＫ”にはＢＡＮＫ６と７を当てていることを示している。
【００３６】
図１４はＬＥＤ表示端末の設定、表示モードの切換えを行う画面を表した図であり、新しくＬＥＤ表示端末を設定する場合は“追加”ボタンで枠を追加し、ＩＰアドレス、設置場所を入力し“保存終了”ボタンで設定は完了するが、同一のＩＰアドレスがある場合は同図下のような警告画面が出る。これは同一セル内だけでなくシステム全体でも同一ＩＰアドレスは設定できない。削除は対象欄を選択して“選択削除”ボタンでデータを消去し、“選択送信”ボタンでは選択したＬＥＤ表示端末に対してシステムが持っている情報をすべて送信する。これはメンテナンス等でＬＥＤ表示端末のメモリ基板を交換したときなどにデータを書き込むためのもので複数のＬＥＤ表示端末を指定し、一括で送信することもできる。一覧表の右端のボックスはチェックを入れると稼動状態となる。
“表示モード切替”は通常、非常Ａ、非常Ｂの３つのモードを切替えることが可能であり、○にチェックして“切換実行”ボタンで稼働状況には関係なくこのセルすべてのＬＥＤ表示端末を一斉に切替える。このときにご操作を防止するために図１５のような確認画面を表示する。
【００３７】
図１６は“表示画面一覧”画面を表した図であり、同図のように左上の窓で対象となるＢＡＮＫを指定することで、該当セル内の各ＬＥＤ表示端末に表示されているすべての文章を色記号に従った色付けをして表示する。“終了”ボタンでトップメニューに戻る。
【００３８】
図１７はセンターＰＣからＬＥＤ表示端末までのＶＰＮ回線に障害などがあり配信できなかった場合のログを表した図であり、短時間で障害が除去された場合は確認後 “選択削除”ボタンで選択項目を削除でき、復旧までに時間を要した場合は “選択送信”ボタンにより選択された顧客に対し、復旧通知メールを送信することができる。
【００３９】
図１８はＬＥＤ表示端末側のメモリー制御基板を設定するための設定ツールを表した図であり、これについて説明する。
“基本設定”の“表示部サイズ”では対象となるＬＥＤ表示器のサイズを立て、横のドット単位で指定する。“スキャン方式”はスキャン速度を０〜３の４段階で指定する。  “反転表示はボックス”にチェックが入っている場合は明暗を反転して設定する。
【００４０】
“通信設定”基板に持っている２つのＣＯＭポートに対してそれぞれ通信速度を設定する。
【００４１】
“モード設定”の“時間校正”では現在時刻を入力して基板の時刻を変更することが可能で、通常はセンターＰＣと通信中にセンターＰＣの時間を参照しているがここで書き込むとこの時間が優先する。“稼動モード”は表示中のＢＡＮＫを普通、非常Ａ、非常Ｂの３モードに強制的に切替えることができる。“ＩＰアドレス”を読み込んだときは現在のアドレスを表示するが設定を変更して書き込むとアドレスが変更される。
“稼動モード”では時間制限稼動と２４時間稼動を切り替え、同時に稼働時間を設定できる。
“表示輝度”は昼間と夜間のＬＥＤ表示器の明るさを設定するもので１から３２の段階があり、３２が最も明るく、昼夜の切換えは基板の入力端子に自動点滅器を接続して行う。“表示速度”はＬＥＤ表示器に文字を流すときの速度で１から３２まで設定でき、単位はｍＳ／ｄｏｔとなり数値が小さいほうが速度が速い。“表示最大長さ”は表示文字数を制限するためのもので１文字１６ドットで計算し、７５文字場合は１２００となる。
“出力状態”は基板に２つある出力端子をセンターＰＣから０Ｖ、５Ｖに設定することができる。
“入力状態”は基板に２つある入力端子を開放、短絡させることでセンターＰＣ側で０Ｖ、５Ｖに変化する。
これらの入出力はＬＥＤ表示端末が壊されたときなどの外的要因による異常発生時の通報など将来端末機器をリモートコントロールに使用するためのものである。
“通信パラメータ”は“ＣＯＭポート”を選択した場合はＣＯＭポート番号、通信速度を設定し、“ＩＰアドレス”を選択した場合は対象基板のＩＰアドレスを入力し、“読込み”ボタンを押すと基板の設定内容が表示され、書き込む場合は右端のボックスにチェックを入れ、“書込み”ボタンにより確認画面が出るのでここで実行する。
【００４２】
上記で説明したように、本実施例に係るシステムによれば、たとえば駅前ロータリー等に設置された大型ビジョンなどとは異なり、安価で、手軽に利用できる新しいメディアとしての位置づけで、それぞれでの地域できめ細かく長時間にわたり、多くの回数だけ広告を流すことに耐えうる。あき枠などの扱いとしては自社ＰＲ、市役所、警察、消防などの情報を無料にて流し、可能な範囲での地域貢献にも資することができる。さらには、地震などの非常時を想定してセンター１０のコントロールにより、予め設定されている文章、避難場所情報などを電源が供給される限り表示させることで、確実に地域に密着した新しいメディアが実現される。
【００４３】
詳細な運用エリアとしては、たとえば１セル１０基をユニットとし、人口１〜１．５万人に１基くらいを目安にし、1回のＣＭが１０箇所同時に設置されることにより、１時間あたり１箇所で４回、１０箇所で延べ４０回、１日２４時間で延べ６０回、１月あたり延べ２８８００回の表示ができることになり、多くの人の目に触れることとなり、大きな宣伝効果を期待できる。
【００４４】
他メディアとの比較においても、たとえば紙媒体などには不可能な速報性に優れている一方、テレビ、ラジオ、文字放送等と異なる点は、エリアを一単位としているためにローカルな地元密着型メディアとして位置づけられる点である。しかも上記の説明にあるように、安価に設定されるため、今までは価格面、タイムラグ等により広告を打てなかった業種にも気軽に利用することができ営業展開が可能となる。さらには、たった１回で終わってしまう折込広告などとは違って持続時間が長く回数が多いことから、表示の変わらないたて看板等と比較してかなりの廉価な設定が可能となる。
【００４５】
なお、本発明は、上述した実施形態および実施例には限定されず、本発明の技術思想の範囲内で様々な変形が可能である。
【００４６】
たとえば、上記した適用例に本願は限定されることなく、同等の考えかたを用いるいかなるものに対しても本願は適用可能であり、かかる本願の適用された各対象は当該対象物固有の効果を奏する。
【００４７】
さらに本願発明は、その技術思想の同一及び等価に及ぶ範囲において様々な変形、追加、置換、拡大、縮小等を許容するものである。また、本願発明を用いて生産される装置、方法、ソフトウェア、システムが、その２次的生産品に登載されて商品化された場合であっても、本願発明の価値は何ら減ずるものではない。
【産業上の利用可能性】
【００４８】
本発明によれば、契約者は、契約者は、初期メッセージ定義時・メッセージ差し替え時のいずれであっても、あたかも自分で表示装置を操作する感覚で、きわめて簡易にメッセージ内容を調整することができるから、簡単に地元密着のミクロ情報発信、マイクロマーケティング的発想に基づく宣伝広告に適するメッセージ広告がスピーディーに実現できる。すなわち、自分の意思で好きなときに広告メッセージ内容を変えることが可能であり、利便性が格段に向上するのみならず、マイクロマーケティング的な対応、すなわちどこの店ではこの時間帯に何が安売りされるなどの、ターゲット（その地域の住民、特に主婦など）を絞ったミクロな情報を然るべきタイミング・場所で消費者・需要者に届けることが可能となる。
【００４９】
また、センターでは、非正当契約者からのメッセージを排除でき、またメッセージ内容のうちの不適切な表現についても事前に校閲することができる。またこのとき、パスワードとして各契約者に対して割り当てたものと当該契約者（情報発信者）のメールアドレスとを組み合わせた情報を一定数の表示装置を備えた特定表示場所にかかる表示先（セル）情報と組み合わせて定義したディスパッチファイルを有し、メッセージ受信の都度このファイルから自動的にディスパッチ先を割り出して対応表示先に送信するまでを、コンピュータソフトウェアにより自動処理するので、これまでのように対人依存することなく、安価、迅速に行え、広告容量・契約者数が増大した場合でも何ら支障なく対応可能であり、しかも人為的な誤りの発生を抑止することができ、安価にてサービスを提供できる。
さらにメールを送信してきた顧客には送られたメッセージがどのように処理されたかを自動返信メールにより毎回知らせることにより安心して使わせることができ、又、システム上に不具合などが発生した場合は管理者宛に異状通報メールを自動送信する機能も有していることから、これらにより休日、夜間でも無人による運用が可能となり、低価格化に貢献できる。
【００５０】
また、表示装置（端末）側では、表示システムセンターから送信されたセンター発信情報を受信し、受信したメッセージを指定される枠番号に対応するメモリアドレスに格納（オーバーライト）する。そして、予め定められたタイムテーブルに沿って規定の時間ごとにメモリの対応位置から情報を読み出し、該情報に含まれるメッセージ内容を表示デバイスに表示することのみを行うので、極めて簡易なシステムとして実現できる。これにより、表示装置自体はデバイス、メモリを含め極めて簡易・安価・省スペースのものとして実現でき、駅前、路上、店の前等スペースの限られた場所にでも確実・安全に設置できるし、表示装置自体は極めて簡易な構造となるため安価となり、より多くの場所に設置することも容易に実現できる。
さらに表示装置には非常用のメモリーバンクを二つ具備し、地震警戒宣言発令時などの表示文を予めメモリしておき、非常時には自治体との連携によりセンターよりコントロール信号を送ることにより、一斉に、或いは任意の表示装置を非常モードに切替えることが可能で、このことにより、地域に密着したシステムが構築できる。
【００５１】
看板等の広告媒体は店の前などに設置する場合が多く、特に情報内容の変動するものは店の近くに設置する以外は考えられなかったものであるが、店の前までくればその店の存在はおのずとわかるわけであり、遠くから客を呼び込むためには、通常、一般的なたて看板に店名、住所、電話番号等を表示するという方法しか実際的ではなかった。しかしながら本発明によれば、安価で手軽な広告メディアが実現できるから、店から物理的に離れた場所にも店名等だけでなく新鮮な情報を簡単に発信することができる。
【００５２】
時間を切り売りするような商売、すなわちホテル、賃貸住宅、駐車場、タクシー、運転代行業、旅行代理店等のように、時間が経過すると不良品となってしまい、在庫が持てない業種は、逐一情報を発信して不良品化してしまう前に売り切ってゆくことが極めて重要であることに鑑みると、本発明による、手軽に、常にリアルタイムで情報を発信できる機構は計り知れないメリットとなる。
よって本発明は、産業上のプロモーションのために、いかなる産業においても利用可能である。
【図面の簡単な説明】
【００５３】
【図１】本発明の一実施形態に係る地域情報連続表示システム全体の概念的な構成を示すブロック図である。
【図２】本発明の一実施形態に係る地域情報連続表示システム１の各構成要素についての詳細な分割機能を定義した機能ブロック図である。
【図３】本部システム１０の更に詳細な機能構成を示した機能ブロック図である。
【図４】本地域情報連続表示システム１の動作順序にしたがって時系列的に各構成装置間のやり取り及び各構成装置内での動作を併せて図示したタイミング・フローチャートである。
【図５】本発明の一実施例に係るソフトウェアによって実現されるトップメニュの例を示す図である。
【図６】本発明の一実施例に係るセル登録に係る処理に応じて管理側ＰＣのモニタに表示される画面を示す図である。
【図７】本発明の一実施例に係るシステム設定画面を表した図である。
【図８】本発明の一実施例に係る自動返信メールの一例を示す図である。
【図９】本発明の一実施例に係る顧客情報設定を表した図である。
【図１０】本発明の一実施例に係るｃｕｓｔｏｍｅｒｓファイルを示す図である。
【図１１】本発明の一実施例に係るディスパッチファイルを示す図である。
【図１２】本発明の一実施例に係る表示内容修正画面を表した図である。
【図１３】本発明の一実施例に係るＢＡＮＫ時間設定画面を表した図である。
【図１４】本発明の一実施例に係るＬＥＤ表示端末の設定、表示モードの切換えを行う画面を表した図である。
【図１５】本発明の一実施例に係る確認画面を示した図である。
【図１６】本発明の一実施例に係る“表示画面一覧”画面を表した図である。
【図１７】本発明の一実施例に係るセンターＰＣからＬＥＤ表示端末までのＶＰＮ回線に障害などがあり配信できなかった場合のログを表した図である。
【図１８】本発明の一実施例に係るＬＥＤ表示端末側のメモリー制御基板を設定するための設定ツールを表した図である。
【符号の説明】
【００５４】
１０  本部（センター）システム
２０  契約者側（クライアント）
３０  表示システム
４０  インターネット
１００  地域情報連続表示システムセンターシステム
１１０  サーバ
２００  クライアントＰＣ
２０１  メール機能を備えたソフトウェア
２０３  制御部
２１０  クライアント携帯電話
３００  表示装置
３０１  入出力部
３０３  制御部
３０５  表示装置側メモリ
３１０、３１２  表示デバイス
１０１０  送受信部
１０２０  制御部
１０３０  認証部
１１１０  セル登録部
１１２０  バンク定義格納部
１１３０  メッセージ格納部
１１４０  設定管理テーブル格納部
【図１】
2008052608.tif 000003
【図２】
2008052608.tif 000004
【図３】
2008052608.tif 000005
【図４】
2008052608.tif 000006
【図５】
2008052608.tif 000007
【図６】
2008052608.tif 000008
【図７】
2008052608.tif 000009
【図８】
2008052608.tif 000010
【図９】
2008052608.tif 000011
【図１０】
2008052608.tif 000012
【図１１】
2008052608.tif 000013
【図１２】
2008052608.tif 000014
【図１３】
2008052608.tif 000015
【図１４】
2008052608.tif 000016
【図１５】
2008052608.tif 000017
【図１６】
2008052608.tif 000018
【図１７】
2008052608.tif 000019
【図１８】
2008052608.tif 000020